(57)【要約】【課題】手術の安全性を十分に確保しつつ、施術の自由度を高めることができる手術ロボットを提供すること。【解決手段】手術ロボット1は、ロボット本体4と、ロボット本体4の制御情報を入力する入力手段5と、入力手段5に入力された制御情報に基づいてロボット本体4を制御するための制御手段11と、操作者の異常を検出する入力側異常検出手段6と、手術状態の異常を検出する出力側異常検出手段8と、出力側異常検出手段8によって検出された手術状態の異常に対応するための異常対応手段9であって、異常対応動作の内容を入力側異常検出手段6の検出結果に基づいて変更するように構成されている、異常対応手段9と、を備える。【選択図】図１
2014124229.tif 000002
【特許請求の範囲】
【請求項１】
医療器具が装着されるロボット本体と、
前記ロボット本体の制御情報を入力するための入力手段と、
前記入力手段に入力された前記制御情報に基づいて前記ロボット本体を制御するための制御手段と、
操作者の異常を検出するための入力側異常検出手段と、
前記医療器具による手術状態の異常を検出するための出力側異常検出手段と、
前記出力側異常検出手段によって検出された前記手術状態の異常に対応するための異常対応手段であって、異常対応動作の内容を前記入力側異常検出手段の検出結果に基づいて変更するように構成されている、異常対応手段と、を備えた手術ロボット。
【請求項２】
前記異常対応手段は、前記入力側異常検出手段の検出結果に基づいて、前記異常対応手段による異常対応動作の開始基準を変更する機能を有する、請求項１記載の手術ロボット。
【請求項３】
前記異常対応手段は、前記異常対応手段による異常対応動作の開始基準について予め複数の閾値を有しており、前記入力側異常検出手段の検出結果に基づいて、前記複数の閾値の中から、適用すべき閾値を選択する機能を有する、請求項１または２に記載の手術ロボット。
【請求項４】
前記入力側異常検出手段は、前記入力手段に設けられている、請求項１乃至３のいずれか一項に記載の手術ロボット。
【請求項５】
前記入力手段は、前記操作者によって操作されるハンドルを含み、
前記入力側異常検出手段は、前記操作者の異常を検出するために前記ハンドルに設けられた入力側検出器を含む、請求項４記載の手術ロボット。
【請求項６】
前記入力側異常検出手段は、前記操作者の異常を検出するための複数の入力側検出器を含み、
前記制御手段は、前記異常対応手段による異常対応の内容を前記複数の検出器からの複数の検出結果に基づいて変更するように構成されている、請求項１乃至５のいずれか一項に記載の手術ロボット。
【請求項７】
前記出力側異常検出手段は、前記医療器具が患者の人体に与える影響を検出する出力側検出器を有する、請求項１乃至６のいずれか一項に記載の手術ロボット。
【請求項８】
前記出力側検出器は、前記医療器具が前記患者の人体との接触部位に与える圧力を検出するものである、請求項７記載の手術ロボット。
【請求項９】
前記出力側検出器は、前記医療器具が前記患者の人体との接触部位を変位させる変位量を検出するものである、請求項７または８に記載の手術ロボット。
【請求項１０】
前記異常対応手段は、前記手術状態の異常を報知するための報知手段を含む、請求項１乃至９のいずれか一項に記載の手術ロボット。
【請求項１１】
前記異常対応手段は、前記ロボット本体の制御モードを変更するための制御モード変更手段を含む、請求項１乃至１０のいずれか一項に記載の手術ロボット。
【請求項１２】
前記制御モード変更手段は、前記ロボット本体の動作の制限速度を変更するものである、請求項１１記載の手術ロボット。
【請求項１３】
前記制御モード変更手段は、前記入力手段からの前記制御情報に応じて前記医療器具を駆動するモードと、前記医療器具に作用する患者の人体からの外力を受け流す方向へ前記医療器具を駆動するモードとを切り替えるものである、請求項１１または１２に記載の手術ロボット。
【請求項１４】
前記制御モード変更手段は、前記医療器具が患者の人体に極力影響を与えないように前記ロボット本体を自動的に制御する自動制御モードへの切換機能を有する、請求項１１乃至１３のいずれか一項に記載の手術ロボット。
【請求項１５】
医療器具が装着されたロボット本体を有する手術ロボットの制御方法において、
前記ロボット本体の制御情報を入力する制御情報入力工程と、
前記制御情報に基づいて前記ロボット本体を制御する制御工程と
操作者の異常を検出する入力側異常検出工程と、
前記医療器具による手術状態の異常を検出する出力側異常検出工程と、
前記出力側異常検出工程において検出された前記手術状態の異常に対応するための異常対応工程であって、異常対応動作の内容を前記入力側異常検出工程の検出結果に基づいて変更する、異常対応工程と、を備えた手術ロボットの制御方法。
【請求項１６】
前記異常対応工程は、前記入力側異常検出工程の検出結果に基づいて、前記異常対応工程における異常対応動作の開始基準を変更する、請求項１５記載の手術ロボットの制御方法。
【請求項１７】
前記異常対応工程は、前記異常対応工程における異常対応動作の開始基準について予め複数の閾値を有しており、前記入力側異常検出工程の検出結果に基づいて、前記複数の閾値の中から、適用すべき閾値を選択する、請求項１５または１６に記載の手術ロボットの制御方法。
【発明の詳細な説明】
【技術分野】
【０００１】
本発明は、医療器具が装着されて手術を補助する手術ロボットおよびその制御方法に関する。
【背景技術】
【０００２】
従来、マスタースレーブ方式の手術ロボットにおいて、マスター側、すなわち、ロボット本体の制御情報を入力するための入力手段に、操作者の異常を検出するための検出スイッチを設けたものが提案されている（特許文献１）。
【０００３】
この従来の手術ロボットにおいては、検出スイッチの検出状態によって、ロボットを停止または位置保持させたり、自動と手動を切り替えたりする。
【０００４】
また、従来提案の手術ロボットの中には、体内に刺入されたトラカールの外周壁面の圧電フィルムによって圧力が検出されると、警告用のブザーを作動させるものがある（特許文献２）。
【先行技術文献】
【特許文献】
【０００５】
【特許文献１】特表２００９−５２５０９７号公報
【特許文献２】特開２００３−７９６３８号公報
【発明の概要】
【発明が解決しようとする課題】
【０００６】
しかしながら、従来の手術ロボット（特許文献１）において、操作者が入力手段から手を離して検出スイッチが異常を検出した場合でも、ロボットを停止等するのではなく、患者に対する安全率を上げつつ制御は継続することで十分な場合もある。
【０００７】
ところが、従来の手術ロボットは、検出スイッチの検出状態によって一律にロボットを停止等するように構成されているので、上記のごとく患者に対する安全率を上げつつ制御を継続させるという対応ができなかった。
【０００８】
また、従来の手術ロボット（特許文献２）においては、操作者が、誤操作ではなく意図的に患者の体を僅かに動かしたような場合でも、一律に異常と判定してブザーを作動させてしまうので、操作者による施術の自由度が阻害されてしまうという問題があった。
【０００９】
本発明は、上述した従来技術の問題点に鑑みて成されたものであり、施術の自由度を高めることができる手術ロボットおよびその制御方法を提供することを目的とする。
【課題を解決するための手段】
【００１０】
上記課題を解決するために、本発明による手術ロボットは、医療器具が装着されるロボット本体と、前記ロボット本体の制御情報を入力するための入力手段と、前記入力手段に入力された前記制御情報に基づいて前記ロボット本体を制御するための制御手段と、操作者の異常を検出するための入力側異常検出手段と、前記医療器具による手術状態の異常を検出するための出力側異常検出手段と、前記出力側異常検出手段によって検出された前記手術状態の異常に対応するための異常対応手段であって、異常対応動作の内容を前記入力側異常検出手段の検出結果に基づいて変更するように構成されている、異常対応手段と、を備えたことを特徴とする。
【００１１】
また、好ましくは、前記異常対応手段は、前記入力側異常検出手段の検出結果に基づいて、前記異常対応手段による異常対応動作の開始基準を変更する機能を有する。
【００１２】
また、好ましくは、前記異常対応手段は、前記異常対応手段による異常対応動作の開始基準について予め複数の閾値を有しており、前記入力側異常検出手段の検出結果に基づいて、前記複数の閾値の中から、適用すべき閾値を選択する機能を有する。
【００１３】
また、好ましくは、前記入力側異常検出手段は、前記入力手段に設けられている。
【００１４】
また、好ましくは、前記入力手段は、前記操作者によって操作されるハンドルを含み、前記入力側異常検出手段は、前記操作者の異常を検出するために前記ハンドルに設けられた入力側検出器を含む。
【００１５】
また、好ましくは、前記入力側異常検出手段は、前記操作者の異常を検出するための複数の入力側検出器を含み、前記制御手段は、前記異常対応手段による異常対応の内容を前記複数の検出器からの複数の検出結果に基づいて変更するように構成されている。
【００１６】
また、好ましくは、前記出力側異常検出手段は、前記医療器具が患者の人体に与える影響を検出する出力側検出器を有する。
【００１７】
また、好ましくは、前記出力側検出器は、前記医療器具が前記患者の人体との接触部位に与える圧力を検出するものである。
【００１８】
また、好ましくは、前記出力側検出器は、前記医療器具が前記患者の人体との接触部位を変位させる変位量を検出するものである。
【００１９】
また、好ましくは、前記異常対応手段は、前記手術状態の異常を報知するための報知手段を含む。
【００２０】
また、好ましくは、前記異常対応手段は、前記ロボット本体の制御モードを変更するための制御モード変更手段を含む。
【００２１】
また、好ましくは、前記制御モード変更手段は、前記ロボット本体の動作の制限速度を変更するものである。
【００２２】
また、好ましくは、前記制御モード変更手段は、前記入力手段からの前記制御情報に応じて前記医療器具を駆動するモードと、前記医療器具に作用する患者の人体からの外力を受け流す方向へ前記医療器具を駆動するモードとを切り替えるものである。
【００２３】
また、好ましくは、前記制御モード変更手段は、前記医療器具が患者の人体に極力影響を与えないように前記ロボット本体を自動的に制御する自動制御モードへの切換機能を有する。
【００２４】
上記課題を解決するために、本発明は、医療器具が装着されたロボット本体を有する手術ロボットの制御方法において、前記ロボット本体の制御情報を入力する制御情報入力工程と、前記制御情報に基づいて前記ロボット本体を制御する制御工程と、操作者の異常を検出する入力側異常検出工程と、前記医療器具による手術状態の異常を検出する出力側異常検出工程と、前記出力側異常検出工程において検出された前記手術状態の異常に対応するための異常対応工程であって、異常対応動作の内容を前記入力側異常検出工程の検出結果に基づいて変更する、異常対応工程と、を備えたことを特徴とする。
【００２５】
また、好ましくは、前記異常対応工程は、前記入力側異常検出工程の検出結果に基づいて、前記異常対応工程における異常対応動作の開始基準を変更する。
【００２６】
また、好ましくは、前記異常対応工程は、前記異常対応工程における異常対応動作の開始基準について予め複数の閾値を有しており、前記入力側異常検出工程の検出結果に基づいて、前記複数の閾値の中から、適用すべき閾値を選択する。
【００２７】
なお、本件明細書中において「異常」とは、検出手段によって検出可能な何らかの指標（例えばセンサのＯＮ／ＯＦＦ、センサが出力する圧力等）において正常状態と区別される状態を表し、国語的な意味での「異常」とは必ずしも一致しない。
【発明の効果】
【００２８】
本発明による手術ロボットおよびその制御方法によれば、入力側異常検出手段の検出結果に基づいて、異常対応手段による異常対応の内容を変更するようにしたので、手術の安全性を十分に確保しつつ、施術の自由度を高めることができる
【図面の簡単な説明】
【００２９】
【図１】本発明の一実施形態による手術ロボットを示した模式図。
【発明を実施するための形態】
【００３０】
以下、本発明の一実施形態による手術ロボットおよびその制御方法について、図１を参照して説明する。
【００３１】
本実施形態による手術ロボット１は、先端に医療器具２が装着されるロボットアーム３を備えたロボット本体４を有している。ロボット本体４の制御情報は、入力手段５によって入力される。医療器具としては、鉗子、焼灼器、電気メス、撮像装置等が使用されるが、これには限られない。
【００３２】
入力手段５には、操作者（医者）の異常を検出するための入力側異常検出手段６が設けられている。具体的には、入力手段５の一部である操作ハンドル７に検出スイッチ（入力側検出器）が設けられている。
【００３３】
検出スイッチ（入力側検出器）としては、操作者の握り力の有無を検出するもの、操作者の手の接触の有無を検出するもの、操作者が意識的に操作ハンドル７を握っていることを伝えるためのトリガーやスイッチを特に設けたもの、等があげられる。
【００３４】
或いは、ヘッドマウントディスプレイを使用する場合には、このヘッドマウントディスプレイが正規の位置からずれたことを検出する検出スイッチでもよい。
【００３５】
要するに、入力側異常検出手段６は、操作ハンドル７に付設する検出スイッチに限られず、例えば操作者が手術に専念しているか、そうでないかの判断に資する情報を出力するものであれば良い。
【００３６】
また、上述した各種の検出スイッチ等の全部または一部を適宜組み合わせて、２つの状態のみならず、複数の状態を検出するようにして、それらの状態毎に閾値を設定しても良い。
【００３７】
本実施形態による手術ロボット１は、さらに、医療器具２による手術状態の異常を検出するための出力側異常検出手段８を備えている。具体的には、医療器具２が患者Ｐの人体に与える影響を検出する出力側検出器が、医療器具２に設けられている。出力側異常検出手段８は、医療器具２やロボットアーム３に設けられても良いし、単独で設けられても良い。
【００３８】
出力側異常検出手段８を構成する出力側検出器としては、医療器具２が患者Ｐの人体との接触部位（特に切開部Ｏ）に与える圧力を検出するもの（フィルムセンサ等）、医療器具２が患者Ｐの人体との接触部位（特に切開部Ｏ）を変位させる変位量を検出するもの等があげられる。或いは、ロボットアーム３の患者Ｐあるいは手術補助者への接近／接触を検出するものでも良い。
【００３９】
要するに、出力側異常検出手段８は、例えば医療器具２による患者Ｐへの影響を推定できるものであれば良い。また、出力側異常検出手段８による検出部位も、患者Ｐの切開部Ｏに限られず、手術部位からロボットアーム３や医療器具２の先端部に加わる反力を検出しても良い。或いはまた、患者Ｐと接触する可能性のある複数の箇所にセンサを配置して、患者Ｐへの影響を総合的に判断しても良い。
【００４０】
本実施形態による手術ロボット１は、さらに、出力側異常検出手段８によって検出された手術状態の異常に対応するための異常対応手段９を備えている。この異常対応手段９の一例は、手術状態の異常が発生したことを報知するための報知手段である。
【００４１】
報知手段は、例えば、ディスプレイ１０上に異常状態を表示するものでも良いし、音声や警報灯の点灯、操作ハンドル７に振動を加える等、様々な方法のものを採用することができる。要するに報知手段は、異常を報知できれば足りる。
【００４２】
また、異常対応手段９の他の例は、ロボット本体４の動作を停止させるものである。即ち、出力側異常検出手段８によって異常が検出された時点で、ロボット本体４の動作が停止されてロック状態となる。
【００４３】
要するに、異常対応手段９は、手術の異常状態に対応して患者Ｐの人体への直接的間接的な影響を極力少なくするものであれば良い。
【００４４】
本実施形態による制御手段１１は、入力手段５により入力された制御情報に基づいてロボット本体４を制御すると共に、ディスプレイ１０の表示内容等を入力手段５に送信する。
【００４５】
そして、異常対応手段９は、異常対応の内容を、入力側異常検出手段６の検出結果に基づいて変更するように構成されている。より具体的には、異常対応手段９は、異常対応動作の開始基準について予め複数の閾値を有しており、入力側異常検出手段６の検出結果に基づいて、複数の閾値の中から、適用すべき閾値を選択する機能を有している。
【００４６】
例えば、異常対応手段９は、操作ハンドル７に設けられた検出スイッチ（入力側検出器）６がオン（正常）であるか、オフ（異常）であるかを判断し、オンの場合には、操作者が手術に専念していると考えられるので、出力側異常検出手段８からの検出値の閾値を比較的高いレベルに設定する。
【００４７】
ここで、出力側異常検出手段８からの検出値の閾値とは、例えば、検出値が閾値を超えた場合に異常対応手段９による異常対応動作（異常報知および／またはロボット停止）を開始させる開始基準（トリガー）となるものである。
【００４８】
従って、出力側異常検出手段８からの検出値の閾値を比較的高いレベルに設定することにより、異常対応手段９による異常対応動作（異常報知および／またはロボット停止）が、比較的鈍感に（遅めに）起動されることになる。
【００４９】
一方、操作ハンドル７に設けられた検出スイッチ（入力側検出器）６がオフ（異常）の場合には、操作者が手術に専念していないと考えられるので、出力側異常検出手段８からの検出値の閾値を比較的低いレベルに設定する。
【００５０】
このように出力側異常検出手段８からの検出値の閾値を、比較的低いレベルに設定することにより、異常対応手段９による異常対応動作（異常報知および／またはロボット停止）が、比較的敏感に（早めに）起動されることになり、安全レベルが引き上げられる。
【００５１】
上記の通り、検出スイッチ（入力側検出器）６がオンであり、操作者が手術に専念していると考えられる場合には、異常対応手段９による異常対応動作（異常報知および／またはロボット停止）を比較的鈍感に（遅めに）することにより、例えば、操作者が意図的に患者Ｐの体を僅かに動かした場合でも、異常報知やロボット停止が引き起こされることなく、手術を続行することができる。
【００５２】
一方、検出スイッチ（入力側検出器）６がオフであり、操作者が手術に専念していないと考えられる場合には、異常対応手段９による異常対応動作（異常報知および／またはロボット停止）を比較的敏感に（早めに）することにより、手術の異常状態に確実に対応することができる。
【００５３】
なお、上述した異常対応手段９は、異常を複数のレベルに分けて対応するように構成されても良い。例えば、安全レベル、中間レベル、危険レベルと三段階に分けて、それぞれディスプレイ１０上に青色で「安全」、黄色で「中間」、赤色で「危険」と表示されるように構成されても良い。
【００５４】
ここで、「安全」と「中間」を分ける閾値を第１閾値、「中間」と「危険」を分ける閾値を第２閾値とすると、検出スイッチ（入力側検出器）６の状態がＯＮ／ＯＦＦの２つの状態である場合は、スイッチＯＮの場合の第１、第２閾値、スイッチＯＦＦの場合の第１、第２閾値が、それぞれ設定される（すなわち４つの閾値が設定される）ことになる。なお、このようにして設定される閾値の一部が同じ値になることはあり得る。
【００５５】
さらに、異常対応手段９は、操作者に異常を報知する報知手段とともに（または報知手段の代わりに）、ロボットの制御モードを変化させる制御モード変更手段を備えることができる。
【００５６】
例えば、安全レベルではロボット本体４の動作の制限速度を比較的高く設定し、危険レベルでは比較的低く設定することによって、患者Ｐに対する安全率を変化させても良い。
【００５７】
また、制御モード変更手段は、入力手段５からの制御情報に応じて医療器具２を駆動するモードと、医療器具２に作用する患者Ｐの人体からの外力を受け流す方向へ医療器具２を駆動するモードとを切り替えるように構成することができる。
【００５８】
また、制御モード変更手段は、手術部位の画像情報や各種センサ情報に基づいて、医療器具２が患者Ｐの人体に極力影響を与えないようにロボット本体４を自動的に制御する自動制御モードへの切換機能を備えることができる。
【００５９】
ここで、「人体に極力影響を与えないように」とは、患者Ｐの切開部Ｏの人体の側壁への圧力を低くする、或いは、内臓等に近接している医療器具２があればそれを内蔵等から遠ざける、といった対応方法を言う。
【００６０】
また、入力側異常検出手段６は、操作者の異常を検出するための複数の入力側検出器を備えることができる。この場合、制御手段１１は、出力側異常検出手段８の検出結果に応じて、異常対応手段９による異常対応の内容を、複数の検出器からの各検出結果に基づいて変更するように構成される。
【００６１】
本実施形態の説明においては、異常対応手段９が制御手段１１に対して異常対応信号を送信することによりロボット本体４に異常対応動作（例えばロボット本体４をロック状態とする）を行わせたり、入力手段５に異常対応動作（例えばディスプレイ１０への警告の表示を行う）を行わせたりすることを想定して異常対応手段９が制御手段１１と接続される例を示した。
【００６２】
上記実施形態の変形例として、例えば異常対応手段９が制御手段１１から独立して単独で異常に対応する（例えば異常の発生をブザーで報知する）場合には、異常対応手段９と制御手段１１を接続しないことも考えられる。さらに、制御手段１１と異常対応手段９はそれぞれあるプログラム上の機能として実現されても良く、画像処理手段等の他の手段を含んでも良い。
【００６３】
以上述べたように、本実施形態による手術ロボット１によれば、入力側異常検出手段６の検出結果に基づいて、異常対応手段９による異常対応の内容を変更するようにしたので、手術の安全性を十分に確保しつつ、施術の自由度を高めることができる。
【００６４】
なお、本発明の構成は、本発明以外の構成や方法等によって施術の自由度が確保される場合には必ずしも必須のものではない。
【符号の説明】
【００６５】
１  手術ロボット
２  医療器具
３  ロボットアーム
４  ロボット本体
５  入力手段
６  入力側異常検出手段（検出スイッチ）
７  操作ハンドル
８  出力側異常検出手段
９  異常対応手段
１０  ディスプレイ
１１  制御手段
Ｏ  患者の人体の切開部
Ｐ  患者
【図１】
2014124229.tif 000003